(57)【要約】【課題】屋根裏の換気性の確保と防火性能の向上とを両立させることができる軒先構造を得る。【解決手段】軒天板３０は裏面材３２と表面材３８とによって構成されており、裏面材３２の先端部（裏面材側延出部４０）は鼻隠し２２の下方位置まで延出されている。また、鼻隠し２２には化粧カバー３４が取り付けられており、その下端部は軒天板３０側へ屈曲されて化粧カバー側延出部４６とされている。化粧カバー側延出部４６は裏面材側延出部４０の下方に対向配置されており、これにより換気用隙間５０が形成されている。さらに、化粧カバー側延出部４６の上面には熱膨張性シート５４が貼着されている。【選択図】図１
2009280976.tif 000002
【特許請求の範囲】
【請求項１】
野地板が取り付けられる垂木と、この垂木の先端部に配置される鼻隠しと、垂木の下面側に配置される軒天板と、を含んで構成された軒先部の下面側に形成されると共に、軒先内部と軒先外部とを連通する換気用隙間と、
この換気用隙間を閉塞可能な位置に配置されると共に、所定温度以上の熱を受けた場合に当該換気用隙間を閉塞する防火手段と、
を備えた軒先構造。
【請求項２】
前記防火手段は、通常時の温度では膨張せずに前記換気用隙間を開放し、かつ火災発生時に所定温度以上になると膨張して前記換気用隙間を閉塞する熱膨張性シートによって構成されている、
ことを特徴とする請求項１記載の軒先構造。
【請求項３】
前記軒天板の少なくとも下面は防火材料で構成されている、
ことを特徴とする請求項１又は請求項２記載の軒先構造。
【請求項４】
前記軒天板は軒先外部側に配置される表面材と軒先内部側に配置される裏面材の二枚の板材を含んで構成されていると共に、前記鼻隠しにおける軒先外部側には意匠面を構成する化粧用部材が配置されており、
かつ前記裏面材の先端部と前記化粧用部材とで前記換気用隙間を形成した、
ことを特徴とする請求項１〜請求項３のいずれか１項に記載の軒先構造。
【請求項５】
前記裏面材は前記表面材の先端部より軒先側へ延出された裏面材側延出部を備えていると共に、前記化粧用部材は軒天板側へ延出された化粧用部材側延出部を備えており、
かつ当該裏面材側延出部の下方に当該化粧用部材側延出部を対向して配置させることで両者間に前記換気用隙間が形成されている、
ことを特徴とする請求項４記載の軒先構造。
【請求項６】
前記裏面材側延出部の下面又は前記化粧用部材側延出部の上面には、通常時の温度では膨張せずに前記換気用隙間を開放し、かつ火災発生時に所定温度以上になると膨張して前記換気用隙間を閉塞する熱膨張性シートが固着されている、
ことを特徴とする請求項５記載の軒先構造。
【請求項７】
前記軒天板の下面材及び前記化粧用部材は防火材料で構成されている、
ことを特徴とする請求項４〜請求項６のいずれか１項に記載の軒先構造。
【請求項８】
前記垂木及び前記軒天板の上面材の少なくとも一方には、前記裏面材の先端部と前記化粧用部材とで前記換気用隙間が形成されるように、前記垂木に対する前記軒天板の位置決めをする位置決め手段が設けられている、
ことを特徴とする請求項４〜請求項７のいずれか１項に記載の軒先構造。
【請求項９】
前記化粧用部材側延出部の下面と前記表面材の下面とが略面一に配置されている、
ことを特徴とする請求項５〜請求項８のいずれか１項に記載の軒先構造。
【発明の詳細な説明】
【技術分野】
【０００１】
本発明は、換気用の隙間を備えた軒先構造に関する。
【背景技術】
【０００２】
図６には、従来の軒先構造の一例（特許文献１）が示されている。この図に示されるように、垂木１００の先端部には鼻隠し材１０２が取り付けられている。また、垂木１００の下端部には軒天板１０４が取り付けられている。
【０００３】
ここで、この先行技術では、軒天板１０４の先端部１０４Ａが鼻隠し材１０２の先端を越えて延長されている。さらに、鼻隠し材１０２の梁成を垂木１００の梁成よりも低く設定することで、鼻隠し材１０２の下端と軒天板１０４の先端部１０４Ａとの間に屋根裏を換気するための開口部１０６が形成されている。また、鼻隠し材１０２の外側には、縦断面形状が略Ｌ字状とされた化粧カバー材１０８が取り付けられている。この化粧カバー材１０８の下端部１０８Ａは、軒天板１０４の先端部１０４Ａを隙間１１０を開けつつ覆っている。これにより、軒先外部と屋根裏とが開口部１０６と隙間１１０を介して相互に連通され、換気性が確保されている。
【特許文献１】特許２８０１１９号公報
【発明の開示】
【発明が解決しようとする課題】
【０００４】
しかしながら、上記先行技術による場合、火災発生時に、火が隙間１１２、開口部１０６を通って軒天板１０４の裏側へ回り込む可能性がある。
【０００５】
本発明は上記事実を考慮し、屋根裏の換気性の確保と防火性能の向上とを両立させることができる軒先構造を得ることが目的である。
【課題を解決するための手段】
【０００６】
請求項１の発明に係る軒先構造は、野地板が取り付けられる垂木と、この垂木の先端部に配置される鼻隠しと、垂木の下面側に配置される軒天板と、を含んで構成された軒先部の下面側に形成されると共に、軒先内部と軒先外部とを連通する換気用隙間と、この換気用隙間を閉塞可能な位置に配置されると共に、所定温度以上の熱を受けた場合に当該換気用隙間を閉塞する防火手段と、を備えたことを特徴としている。
【０００７】
請求項２の発明は、請求項１記載の軒先構造において、前記防火手段は、通常時の温度では膨張せずに前記換気用隙間を開放し、かつ火災発生時に所定温度以上になると膨張して前記換気用隙間を閉塞する熱膨張性シートによって構成されている、ことを特徴としている。
【０００８】
請求項３の発明は、請求項１又は請求項２記載の軒先構造において、前記軒天板の少なくとも下面は防火材料で構成されている、ことを特徴としている。
【０００９】
請求項４の発明は、請求項１〜請求項３のいずれか１項に記載の軒先構造において、前記軒天板は軒先外部側に配置される表面材と軒先内部側に配置される裏面材の二枚の板材を含んで構成されていると共に、前記鼻隠しにおける軒先外部側には意匠面を構成する化粧用部材が配置されており、かつ前記裏面材の先端部と前記化粧用部材とで前記換気用隙間を形成した、ことを特徴としている。
【００１０】
請求項５の発明は、請求項４記載の軒先構造において、前記裏面材は前記表面材の先端部より軒先側へ延出された裏面材側延出部を備えていると共に、前記化粧用部材は軒天板側へ延出された化粧用部材側延出部を備えており、かつ当該裏面材側延出部の下方に当該化粧用部材側延出部を対向して配置させることで両者間に前記換気用隙間が形成されている、ことを特徴としている。
【００１１】
請求項６の発明は、請求項５記載の軒先構造において、前記裏面材側延出部の下面又は前記化粧用部材側延出部の上面には、通常時の温度では膨張せずに前記換気用隙間を開放し、かつ火災発生時に所定温度以上になると膨張して前記換気用隙間を閉塞する熱膨張性シートが固着されている、ことを特徴としている。
【００１２】
請求項７の発明は、請求項４〜請求項６のいずれか１項に記載の軒先構造において、前記軒天板の下面材及び前記化粧用部材は防火材料で構成されている、ことを特徴としている。
【００１３】
請求項８の発明は、請求項４〜請求項７のいずれか１項に記載の軒先構造において、前記垂木及び前記軒天板の上面材の少なくとも一方には、前記裏面材の先端部と前記化粧用部材とで前記換気用隙間が形成されるように、前記垂木に対する前記軒天板の位置決めをする位置決め手段が設けられている、ことを特徴としている。
【００１４】
請求項９の発明は、請求項５〜請求項８のいずれか１項に記載の軒先構造において、前記化粧用部材側延出部の下面と前記表面材の下面とが略面一に配置されている、ことを特徴としている。
【００１５】
請求項１記載の本発明によれば、野地板と垂木と鼻隠しと軒天板とを含んで軒先部が構成されている。
【００１６】
ここで、上記軒先部の下面側には軒先内部と軒先外部とを連通する換気用隙間が形成されているので、この換気用隙間を介して外気が流通する。従って、屋根裏の換気性が確保される。
【００１７】
一方、火災発生時には、防火手段が所定温度以上の熱を受けると、当該防火手段によって換気用隙間が閉塞される。従って、換気用隙間から火が入り鼻隠しに直接当たり、更には軒天板の裏へ火が回り込むのを防止することができる。
【００１８】
請求項２記載の本発明によれば、防火手段が熱膨張性シートによって構成されており、この熱膨張性シートは通常時の温度では膨張しない。従って、換気用隙間は開放状態を維持し、換気性は良好に確保される。一方、火災発生時になると、熱膨張性シートが所定温度以上になると膨張して換気用隙間が閉塞される。これにより、火の侵入経路が遮断されるので、火は軒天板の裏面側へ回り込まない（延焼しない）。
【００１９】
このように防火手段を熱膨張性シートで構成した場合、複数部品を使って防火手段を構成した場合と比べて、部品点数が少なくて済む。また、一般に軒先の換気用隙間が形成される部位及びその周辺に部品設置スペースを確保することは難しいが、熱膨張性シートであれば狭い隙間等にも配置することができる。
【００２０】
請求項３記載の本発明によれば、軒天板の少なくとも下面は防火材料で構成されているので、防火性能が向上される。
【００２１】
請求項４記載の本発明によれば、軒天板が裏面材と表面材の二枚の板材を含んで構成されており、又鼻隠しの軒先外部側には化粧用部材が配置されている。
【００２２】
ここで、本発明では、前記構成を前提として、裏面材の先端部と化粧用部材とで換気用隙間を形成したので、細工がし易い。つまり、軒先外部側に配置される表面材は意匠面を構成するので、表面材の設計を変更するとそれに伴って回りの納まりを変更しなければならないが、裏面材は軒先外部に露見しないので、必要に応じて設計変更をし易い。
【００２３】
請求項５記載の本発明によれば、裏面材は表面材の先端部より軒先側へ延出された裏面材側延出部を備えており、化粧用部材は軒天板側へ延出された化粧用部材側延出部を備えている。
【００２４】
ここで、本発明では、前記構成を前提として、裏面材側延出部の下方に化粧用部材側延出部を対向して配置させることで両者間に換気用隙間を形成することとしたので、鼻隠しは軒先外部に露見しない。軒先部の意匠性が向上される。
【００２５】
請求項６記載の本発明によれば、裏面材側延出部の下面又は化粧用部材側延出部の上面に熱膨張シートを固着し、通常時の温度では膨張せずに換気用隙間を開放し、かつ火災発生時に所定温度以上になると膨張して換気用隙間を閉塞するようにしたので、非常にコンパクトに換気用隙間の開閉を行うことができる。
【００２６】
請求項７記載の本発明によれば、軒天板の下面材及び化粧用部材が防火材料で構成されているので、軒天板の下面材だけでなく化粧用部材も含めて防火性能が向上される。
【００２７】
請求項８記載の本発明によれば、垂木及び軒天板の上面材の少なくとも一方には垂木に対する軒天板の位置決めをする位置決め手段が設けられているので、位置決め手段を用いて垂木に対する軒天板の位置決めをすることにより、裏面材の先端部と化粧用部材とによる換気用隙間が自動的に正確に形成される。
【００２８】
請求項９記載の本発明によれば、野地板と垂木と鼻隠しと化粧用部材と軒天板とを含んで軒先部が構成されている。化粧用部材側延出部の下面と表面材の下面とが略面一に配置されているので、軒先部の意匠面に段差が生じない。従って、軒先部の意匠性がより一層向上される。
【発明の効果】
【００２９】
以上説明したように、請求項１記載の本発明に係る軒先構造は、屋根裏の換気性の確保と防火性能の向上の両立を図ることができるという優れた効果を有する。
【００３０】
請求項２記載の本発明に係る軒先構造は、低コストで防火手段を構成することができると共に狭いスペースでも防火手段を設置することができるという優れた効果を有する。
【００３１】
請求項３記載の本発明に係る軒先構造は、軒先の防火性能を向上させることができるという優れた効果を有する。
【００３２】
請求項４記載の本発明に係る軒先構造は、軒先の意匠面側の納まりに影響を与えることなく換気用隙間を確保することができるという優れた効果を有する。
【００３３】
請求項５記載の本発明に係る軒先構造は、換気性の確保、防火性能の向上に加え、軒先の外観品質の向上を図ることができるという優れた効果を有する。
【００３４】
請求項６記載の本発明に係る軒先構造は、周辺の納まりに影響を与えることなく防火性能を担保することができるという優れた効果を有する。
【００３５】
請求項７記載の本発明に係る軒先構造は、軒先の防火性能を向上させることができるという優れた効果を有する。
【００３６】
請求項８記載の本発明に係る軒先構造は、建築地で簡単かつ正確に更に迅速に換気用隙間を形成することができるという優れた効果を有する。
【００３７】
請求項９記載の本発明に係る軒先構造は、換気性の確保及び防火性能の向上に加え、軒先部の外観品質をより一層向上させることができるという優れた効果を有する。
【発明を実施するための最良の形態】
【００３８】
以下、図１〜図５を用いて、本発明に係る軒先構造の一実施形態について説明する。
【００３９】
図４に示されるように、一般に住宅１０は、居住空間である住宅本体１２と、これを覆う屋根１４とで構成されている。屋根１４は平面視で住宅本体１２を覆っている屋根本体部１６と、住宅本体１２から張り出した軒先部１８とを備えている。以下、軒先部１８の構造について詳細に説明する。
【００４０】
図１には、軒先部１８の拡大断面図（図４のＡ線矢視部の拡大断面図）が示されている。この図に示されるように、軒先部１８を含む屋根１４は、屋根勾配に沿って傾斜して配置されかつ棟の長手方向に所定の間隔で配置された複数の垂木２０を備えている。複数の垂木２０の先端部間には、鼻隠し２２が架け渡されている。垂木２０及び鼻隠し２２の上面には野地板２４が固定されており、更に野地板２４の上面には葺材２６が規則正しく敷き詰められている。
【００４１】
一方、垂木２０の下面側には野縁２８が架け渡されて固定されており、野縁２８の下面に軒天板３０がビス３２で固定されている。さらに、鼻隠し２２の先端面には化粧用部材としての化粧カバー３４が固定されている。
【００４２】
ここで、上述した軒天板３０は裏面材３６と表面材３８の二枚の板材を積層させて構成されている。裏面材３６は、一例として厚さ０．４ｍｍの鋼板が使用されている。また、表面材３８としては、厚さ１５ｍｍの石膏ボード、厚さ１１ｍｍのケイ酸カルシウム板、又は厚さ１１ｍｍのスラグ石膏板等が適用可能である。さらに、裏面材３６の先端部は表面材３８の先端部３８Ａよりも所定長さ軒先側へ延出されている（以下、この部分を「裏面材側延出部４０」と称す）。なお、裏面材側延出部４０は、鼻隠し２２の下面と対向する位置まで延出されている。また、図１及び図３に示されるように、裏面材３６の所定位置には、切起こしによる一対の位置決め部４２が一体に形成されている。屋根１４の組付状態では、これらの位置決め部４２が野縁２８の上側側面２８Ａ（図１参照）に当接係止されている。なお、位置決め部４２及び野縁２８が本発明における位置決め手段に相当する。
【００４３】
また、図１及び図２に示されるように、化粧カバー３４は縦断面形状がＬ字状に形成されている。なお、化粧カバー３４は、一例として塩ビ鋼板製とされている。化粧カバー３４の立ち上がり部４４は鼻隠し２２の先端面に上端を揃えて当接されており、この状態で鼻隠し２２に固定されている。なお、立ち上がり部４４の長さは、鼻隠し２２の梁成よりも長く設定されている。また、化粧カバー３４の下端部は軒天板３０側へ直角に屈曲されている（以下、この屈曲された下端部を「化粧カバー側延出部４６」と称す）。なお、化粧用部材側延出部としての化粧カバー側延出部４６の先端部は、折り返されて重合されている（以下、この部分を「先端折り返し部４６Ａ」と称す）。
【００４４】
上述した化粧カバー３４の組付状態では、化粧カバー側延出部４６が裏面材側延出部４０の下方に所定距離離間した状態で対向して配置されている。つまり、裏面材側延出部４０と化粧カバー側延出部４６とは、軒先部１８の法線方向に見てオーバーラップして配置されている。従って、軒先部１８の下方側から見た場合、鼻隠し２２は軒先外部４８には露見していない。そして、上記構成により、化粧カバー側延出部４６（の先端折り返し部４６Ａ）と裏面材側延出部４０との間には、所定間隙寸法の換気用隙間５０が形成されている。この換気用隙間５０を介して軒先内部５２と軒先外部４８とが相互に連通されている。
【００４５】
さらに、化粧カバー３４の先端折り返し部４６Ａの上面には、熱膨張性シート５４が貼着されている。この熱膨張性シート５４は、比較的柔らかい材質で構成されており、熱特性としては約２００℃で厚さ方向に熱膨張する性質を有している。従って、換気用隙間５０は、通常時においては熱膨張性シート５４が膨張せず、この場合には隙間が維持されるようになっている。そして、火災時には、約２００℃の温度になると、熱膨張して厚さ方向に膨らみ、換気用隙間５０が閉塞されるようになっている。
【００４６】
（作用・効果）
【００４７】
次に、本実施形態の作用並びに効果について説明する。
【００４８】
通常時においては、熱膨張性シート５４は熱膨張していないので、換気用隙間５０は組付時の状態のまま確保される。従って、軒先内部５２と軒先外部４８とは換気用隙間５０を介して相互に連通されており、外気が流通する。よって、屋根裏の換気性は確保される。
【００４９】
一方、火災発生時には、熱膨張性シート５４が所定の温度（約２００℃）になると、熱膨張性シート５４の厚さ方向に熱膨張して換気用隙間５０が閉塞される。これにより、火の侵入経路が遮断されるので、火が換気用隙間５０を通って軒天板３０の裏面材３６側へ回り込むことはない（延焼防止）。なお、化粧カバー側延出部４６によって鼻隠し２２の下面が軒先外部４８側から見えないようになっているので、火が鼻隠し２２の方へ立ち上っても、化粧カバー側延出部４６によって堰き止められるので、鼻隠し２２が直接火に晒されることもない。
【００５０】
その結果、本実施形態によれば、屋根裏の換気性の確保と防火性能の向上の両立を図ることができる。
【００５１】
また、本実施形態では、化粧カバー３４の化粧カバー側延出部４６に熱膨張性シート５４を貼着し、通常時には換気用隙間５０が維持され、火災時には所定温度で熱膨張シート５４が熱膨張して換気用隙間５０を閉塞するように構成したので、換気用隙間５０を塞ぐための防火手段を複数部品で構成した場合と比べて、部品点数が少なくて済む。また、一般には軒天板と化粧用部材とが接続される部位及びその周辺の納まりのスペースは非常に狭く、部品設置スペースを確保することが難しいが、熱膨張性シート５４であれば狭い換気用隙間５０等にも充分に配置することができる。従って、この構成によれば、低コストで防火手段を構成することができると共に狭いスペースでも防火手段を設置することができるという利点がある。
【００５２】
更に言及すると、本実施形態の熱膨張性シート５４は比較的柔らかい素材でできているので、化粧カバー側延出部４６と裏面材側延出部４０とが強風時等に直接当たることによる異音の発生を防止する効果もある。
【００５３】
さらに、本実施形態では、軒天板３０が二層構造とされ、火が直接当たる表面材３８を防火材料で構成したので、そうでない場合に比べ軒先部１８の防火性能を向上させることができる。
【００５４】
また、本実施形態では、軒天板３０が裏面材３６と表面材３８の二枚の板材によって構成されていると共に、鼻隠し２２の軒先外部側には化粧カバー３４が配置されており、裏面材３６の先端部と化粧カバー３４とで換気用隙間５０を形成したので、細工がし易い。つまり、軒先外部４８側に配置される表面材３８は意匠面を構成するので、表面材３８の設計を変更するとそれに伴って回りの納まりを変更しなければならないが、裏面材３６は軒先外部４８に露見しないので、必要に応じて設計変更をし易い。その結果、本実施形態によれば、軒先部１８の意匠面側の納まりに影響を与えることなく換気用隙間５０を確保することができる。
【００５５】
さらに、本実施形態では、裏面材３６に裏面材側延出部４０を設けると共に化粧カバー３４側に化粧カバー側延出部４６を設け、前者を鼻隠し２２の下方に配置し、後者を前者の下方にオーバーラップさせて配置することで換気用隙間５０を形成したので、軒先外部４８から鼻隠し２２が見えないようにすることができる。その結果、本実施形態によれば、軒先部１８の意匠性を向上させることができる。
【００５６】
また、本実施形態では、裏面材側延出部４０の下面又は化粧カバー側延出部４６の上面に熱膨張性シート５４を固着し、通常時には換気用隙間５０を開放し、火災発生時には膨張して換気用隙間５０を閉塞するようにしたので、非常にコンパクトに換気用隙間５０の開閉を行うことができる。その結果、本実施形態によれば、周辺の納まりに影響を与えることなく防火性能を担保することができる。
【００５７】
さらに、本実施形態では、軒天板３０の裏面材３６だけでなく、化粧カバー３４も防火材料で構成されているので、軒天板３０の裏面材３６だけでなく化粧カバー３４も含めて防火性能が向上される。よって、軒先部１８の防火性能をより一層向上させることができる。
【００５８】
また、本実施形態では、軒天板３０の裏面材３６に垂木２０に対する軒天板３０の位置決めをする位置決め部４２を設けたので、当該位置決め部４２を用いて軒天板３０の垂木２０に対する位置決めをすることにより、裏面材３６の先端部と化粧カバー３４とによる換気用隙間５０が自動的に正確に形成される（即ち、裏面材側延出部４０と化粧カバー側延出部４６とのオーバーラップ代が均一に自動的に決まる）。その結果、本実施形態によれば、建築地で簡単かつ正確に更に迅速に換気用隙間５０を形成することができる。
【００５９】
さらに、本実施形態では、軒天板３０を裏面材３６と表面材３８の二枚板構造とし、裏面材側延出部４０を鼻隠し２２側に配置すると共にその下方に化粧カバー側延出部４６を対向配置させたので、化粧カバー側延出部４６の下面と表面材３８の下面とを面一に配置することができる。即ち、軒先部１８の意匠面に段差が生じない。従って、軒先部１８の意匠性がより一層向上される。その結果、本実施形態によれば、換気性の確保及び防火性能の向上に加え、軒先部１８の外観品質をより一層向上させることができる。
【００６０】
なお、参考までに図５を用いてこの効果を補足説明すると、前述した先行技術の場合は図６に示されるように化粧カバー材１０８の下端部１０８Ａが軒天板１０４の先端部１０４Ａの下方に離間して配置されるため、段差１１２が生じ、軒先の外観品質を低下させていた。これを解決するために、仮に図５に示されるように、軒天板１１４の先端部１１４Ａを縮めると共に、化粧カバー材１１６の下端部１１６Ａの下面を軒天板と同一直線上に配置すると、化粧カバー材１１６の下端部１１６Ａの先端部１１６Ａ’と軒天板１１４の先端部１１４Ａとの間に形成された換気用の隙間１１８と鼻隠し材１０２とが対向することとなる。つまり、防火上の弱点となる鼻隠し材１０２が外部から直接見える納まりとなる。このため、火災発生時に、火が隙間１１８から鼻隠し材１０２に直接当たると共に軒天板１１４の上面側へ回り込みやすくなる。従って、この構成では、防火上不利になる可能性がある。さらに、この構成を採ると、軒先の真下から前記換気用の隙間１１８が見えるので、軒先の外観品質が低下する。
【００６１】
これに対し、本実施形態では、軒先部１８の意匠面に鼻隠し２２が露見することもなく、又軒天板３０と化粧カバー側延出部４６との間に段差が生じることもない。従って、換気性の確保、防火性能の向上、軒先部１８の外観品質の向上の三者を同時に満足させることができる。
【００６２】
〔上記実施形態の補足説明〕
【００６３】
上述した本実施形態では、伝熱性を考慮して、熱膨張性シート５４を直接火が当たる化粧カバー側延出部４６の上面に取り付けたが、これに限らず、裏面材側延出部４０の下面に熱膨張性シート５４を取り付けてもよい。
【００６４】
また、上述した本実施形態では、防火手段として熱膨張性シート５４を用いたが、請求項１記載の本発明には、熱膨張性シート以外の構成も含まれる。例えば、バイメタルのように所定の温度で所定の形状に変形する部材を化粧カバー３４の先端折り返し部４６Ａに巻き込んで固定してもよい。その場合、異音発生防止の観点からバイメタルの表面に軟質材を接着等しておくとよい。
【００６５】
さらに、上述した本実施形態では、軒天板３０の裏面材３６を鋼板で形成したが、これに限らず、表面材とは異なる硬くて薄い材料でできた薄板材であれば適用可能である。
【図面の簡単な説明】
【００６６】
【図１】本実施形態に係る軒先構造の要部を拡大して示す図４のＡ線矢視部の拡大断面図である。
【図２】図１に示される化粧用部材の部分拡大斜視図である。
【図３】軒天板の位置決め部材を示す軒天板の要部拡大斜視図である。
【図４】一般的な屋根構造をもつ住宅の概略斜視図である。
【図５】対比例に係り、図６に示される従来構造を改良した軒先構造を示す要部拡大断面図である。
【図６】従来例に係る軒先構造の要部を拡大して示す要部拡大断面図である。
【符号の説明】
【００６７】
１８      軒先部
２０      垂木
２２      鼻隠し
２４      野地板
２８      野縁（位置決め手段）
３０      軒天板
３４      化粧カバー（化粧用部材）
３６      裏面材
３８      表面材
３８Ａ    先端部
４０      裏面材側延出部
４２      位置決め部（位置決め手段）
４６      化粧カバー側延出部（化粧用部材側延出部）
４８      軒先外部
５０      換気用隙間
５２      軒先内部
５４      熱膨張性シート（防火手段）
【図１】
2009280976.tif 000003
【図２】
2009280976.tif 000004
【図３】
2009280976.tif 000005
【図４】
2009280976.tif 000006
【図５】
2009280976.tif 000007
【図６】
2009280976.tif 000008